(57)【特許請求の範囲】
【請求項１】
スペクトラム拡散信号を復調する復調回路と、この復調回路にＰＮ符号を送出するＰＮ符号発生器とを備えたスペクトラム拡散受信機において、
前記復調回路に対するテストパターンを予め記憶し、前記復調回路にテスト信号を送出する記憶手段と、
前記ＰＮ符号発生器のチェック用のレジスタと、
前記復調回路に供給する受信信号と前記テスト信号とを切替える第１切替え手段と、
前記ＰＮ符号発生器から送出されるＰＮ符号の供給先をチェック用のレジスタと前記復調回路とのいずれかに切替える第２切替え手段と、
前記第１切替え手段の切替えにより前記復調回路へ前記テスト信号を供給するとともに、前記第２切替え手段の切替えにより前記ＰＮ符号を前記復調回路に供給したときに、前記テスト信号が前記復調回路で復調された結果、及び、前記第２切替え手段により前記ＰＮ符号の供給先を前記レジスタに切替えたときの前記レジスタの内容を取り込んで故障の有無を判定する判定手段とを備えたことを特徴とするスペクトル拡散受信機。
【発明の詳細な説明】
【０００１】
【発明の属する技術分野】
本発明は、ＧＰＳ受信機などに用いられるスペクトラム拡散受信機に関し、特に、受信機の主要機能部分である復調回路及びＰＮ符号発生器に対する自己診断機能を内蔵したスペクトラム拡散受信機に関するものである。
【０００２】
【従来の技術】
スペクトラム拡散受信機は、例えば、測量用のＧＰＳ受信機や移動電話用の受信手段として用いられている。この種の受信機における受信信号の復調は、デジタル信号処理によるハードウエアによって行われている。これらハードウエアを構成する素子は、一般的に、集積回路で構成されている。
【０００３】
ところで、測量用のＧＰＳ受信機は、スペクトラム拡散信号を復調する復調回路が内蔵されているが、このような復調回路が組み込まれたＧＰＳ受信機は、復調回路が正常に動作するか否かは、衛星からの受信信号、または、それと同等な信号を出力できるＧＰＳ疑似信号発生器と同期を採ることにより確認されていた。
【０００４】
しかしながら、このように復調回路の機能確認手段には、以下に説明する技術的な課題が存在していた。
【０００５】
【発明が解決しようとする課題】
すなわち、ＧＰＳ受信機で衛星からのスペクトラム拡散信号を受信して復調を行う際には、衛星の飛来する時間帯や高度角による電波の受信障害物の影響等がある場合には、必ずしも受信が順調に行われるとは限らない。このような条件下で、例えば、復調が行なえない場合には、受信する電波信号の強度が不足しているのか、あるいは、復調回路に機能障害があるのかが、使用者側で判断することが難しかった。
【０００６】
つまり、復調回路を構成する集積回路は、工場で製造して、出荷前に一括テストを行う場合には、確認操作が面倒である点を除けば、アンテナ設備や試験条件などを整えた状態で行えるので、問題がないものの、実際にユーザがＧＰＳ受信機を運用して復調回路の機能を確認する際には、何らかの外的要因により復調がてきないのか、あるいは、復調回路自体が故障しているのかを、ユーザ自身で判断することが難しい。
【０００７】
特に、スペクトラム拡散通信方式の場合には、同期が完全にとれるまでの間は、ホワイトノイズが生じている状態が続くため、ユーザにとっては、使用機器の故障の有無に対して疑心暗鬼が生ずる確率が高い。
本発明は、このような問題点に鑑みてなされたものであって、その目的とするところは、実際にアンテナを接続することなく、受信機の主要機能部分である復調回路やＰＮ符号発生器に対する自己診断が行えるようにしたスペクトラム拡散受信機を提供することにある。
【０００８】
【課題を解決するための手段】
前記目的を達成するため、本発明は、スペクトラム拡散信号を復調する復調回路と、この復調回路にＰＮ符号を送出するＰＮ符号発生器とを備えたスペクトラム拡散受信機において、前記復調回路に対するテストパターンを予め記憶し、前記復調回路にテスト信号を送出する記憶手段と、前記ＰＮ符号発生器のチェック用のレジスタと、前記復調回路に供給する受信信号と前記テスト信号とを切替える第１切替え手段と、前記ＰＮ符号発生器から送出されるＰＮ符号の供給先をチェック用のレジスタと前記復調回路とのいずれかに切替える第２切替え手段と、前記第１切替え手段の切替えにより前記復調回路へ前記テスト信号を供給するとともに、前記第２切替え手段の切替えにより前記ＰＮ符号を前記復調回路に供給したときに、前記テスト信号が前記復調回路で復調された結果、及び、前記第２切替え手段により前記ＰＮ符号の供給先を前記レジスタに切替えたときの前記レジスタの内容を取り込んで故障の有無を判定する判定手段とを備えた。
この構成において、第１切替え手段の切替えによりテスト信号を復調回路へ供給するとともに、第２切替え手段の切替えによりＰＮ符号を前記復調回路に供給して、前記テスト信号を前記復調回路で復調してみる。問題がなければ、ＧＰＳ擬似信号を入れて調べる。これで、当該復調回路の故障の有無が判断される。また、ＰＮ符号発生器においても、第２切替え手段の切替えにより前記ＰＮ符号の供給先をレジスタに切替えて、ＰＮ符号を前記レジスタに取り込み、取り込んだ内容からＰＮ発生器の故障の有無が判断される。
【０００９】
【発明の実施の形態】
以下、本発明の好ましい実施の形態について添付図面を参照して詳細に説明する。図１は、本発明にかかるスペクトラム拡散受信機の一実施例を示しており、この実施例では、測量に用いられるＧＰＳ受信機の復調回路の要部が示されている。同図に示すＧＰＳ受信機は、図外のアンテナを介して、受信される衛星からのスペクトラム拡散信号をデジタル信号に変換するＡ／Ｄ変換器１を有している。
【００１０】
Ａ／Ｄ変換器１の出力側には、切替えスイッチｓｗ1 の常閉接点を介して、コードトラッキング回路２が接続されている。このコードトラッキング回路２は、ＧＰＳ受信機に内蔵されている復調回路の１つであって、スペクトラム拡散信号からＰＮ符号を復調し、このときの逆拡散に用いられるＰＮ符号信号を供給するＰＮ符号発生器４が、切替えスイッチｓｗ3 を介して接続されている。
【００１１】
また、Ａ／Ｄ変換器１の出力側には、切替えスイッチｓｗ2 の常閉接点を介して、キャリアトラッキング回路３が接続されていて、このキャリアトラッキング回路３は、ＧＰＳ受信機に内蔵されている復調回路の１つであって、スペクトラム拡散信号から航法データを抽出する。
コードおよびキャリアトラッキング回路２，３には、これらの作動を制御するとともに、得られたＰＮ符号，航法データに基づいて測位のための各種の演算処理を実行するＣＰＵ５が接続されている。このようなＧＰＳ受信機としての基本的な構成は、この種の従来の受信機と同一であるが、本実施例のＧＰＳ受信機には、以下に説明する点に顕著な特徴がある。
【００１２】
すなわち、本実施例のＧＰＳ受信機では、上記基本構成に加えて、前記コードトラッキング回路２に対するシュミレート用のテストパターンを予め記憶させてある第一のＲＯＭ（１）６と、同じくキャリアトラッキング回路３に対するシュミレート用のテストパターンを予め記憶させてある第二のＲＯＭ（２）７と、前記ＰＮ符号発生器のＰＮ符号系列を読込むためのレジスタ８、及びこのレジスタ８の内容を読込んで、この符号系列を判定する判定回路９とを備えている。
【００１３】
ＲＯＭ（１）６は、切替えスイッチｓｗ1 の常開接点を介して、コードトラッキング回路２の入力側に接続されている。ＲＯＭ（２）７は、切替えスイッチｓｗ2 の常開接点を介して、キャリアトラッキング回路３の入力側に接続されている。レジスタ８の入力側は、切替えスイッチｓｗ3 の常開接点を介して、ＰＮ符号発生器４の出力側に接続されている。
【００１４】
各切替えスイッチｓｗ1 ，ｓｗ2 ，ｓｗ3 は、ＣＰＵ５の切替え動作指令によって切替えられ、図示の通常の受信モードからテストモードに移行し、それぞれの回路に対する診断がなされる。
すなわち、まず、ＣＰＵ５からコードトラッキング回路テスト信号が送信されると、切替えスイッチｓｗ1 が作動し、第一のＲＯＭ（１）６からテスト信号がコードトラッキング回路２に出力される。
【００１５】
同時に切替えスイッチｓｗ３も切替わって、ＰＮ符号発生器４からＰＮ符号もコードトラッキング回路２に供給される。ＲＯＭ６からのテスト信号を受けたコードトラッキング回路２では、このテストパターンに対応した復調処理が行なわれ、その結果をＣＰＵ５に出力する。ＣＰＵ５では、その出力内容により、コードトラッキング回路２が正常に動作しているか否かを判定し、図示しない表示器などにその内容を表示する。
また、ＣＰＵ５からキャリアトラッキング回路テスト信号が送信されると、切替えスイッチｓｗ２が作動し、第二のＲＯＭ（２）７のテーブルからテスト信号がキャリアトラッキング回路３に出力される。
【００１６】
このテスト信号を受けたキャリアトラッキング回路３では、このテストパターンに対応した復調処理を行い、その結果をＣＰＵ５に出力する。ＣＰＵ５ではその出力内容により、キャリアトラッキング回路３が正常に動作しているか否かを判定し、図示しない表示器などにその内容を表示する。
さらに、ＰＮコード発生器４は、基準ＰＮコードがエポック信号のタイミングにより、コードの判別がつくビット数で生成され、ＣＰＵ５からＰＮ符号テスト切替え信号が送信されると、切替えスイッチｓｗ3 が作動して、レジスタ８がＰＮ符号発生器４の出力側に接続されＰＮ符号発生器４から出力されるＰＮ符号系列は、レジスタ８に取込まれ、この内容を符号判定回路９で比較し、正常であるか否かが判定され、その判定結果をＣＰＵ５に出力し、これによりＣＰＵ５は、ＰＮ符号発生器４が正常に動作しているか否かを図示しない表示器などに表示させる。
【００１７】
以上のように構成されたＧＰＳ受信機にあっては、実際に衛星からスペクトラム拡散信号を受信することなく、復調回路（コードトラッキング回路２，キャリアトラッキング回路３）やＰＮ符号発生器４が正常か否かを自己診断できることになる。
なお、本発明は、ＧＰＳ受信機だけでなく、その他のスペクトラム拡散方式の受信機一般に適用できることは勿論である。
【００１８】
【発明の効果】
以上実施例により詳細に説明したように、本発明にかかるスペクトラム拡散受信機にあっては、アンテナを接続することなく復調回路及びＰＮ符号発生器の診断を行うことができるため、工場出荷前の製品検査を簡素化でき、また、ユーザによる運用時においても、その主要部分の診断を、電波を受けることなく行えるため、安心である利点がある。
【図面の簡単な説明】
【図１】本発明にかかる自己診断機能付ＧＰＳ受信機の回路構成の要部を示すブロック図である。
【符号の説明】
２  コードトラッキング回路
３  キャリアトラッキング回路
４  ＰＮ符号発生器
５  ＣＰＵ（判定手段）
６  第一のＲＯＭテーブル（記憶手段）
７  第二のＲＯＭテーブル（記憶手段）
８  レジスタ
９  符号判定回路（手段）
ｓｗ１，ｓｗ２，ｓｗ３      スイッチ（切替え手段）
【図１】
0003647139.tif 000002